(57)【要約】【課題】使用時間の延長及び使い勝手の向上を図ることが可能な携帯電話装置を提供する。【解決手段】ＣＰＵ（＃１）１が無線網＃１の待受けを行っている時、無線網＃２からの受信可能情報を受信するか、あるいは無線網＃１の圏外になると、その旨がＣＰＵ（＃１）１４からＣＰＵ（＃３）３に通知される。ＣＰＵ（＃３）３はＣＰＵ　（＃１）１４からの通知を受けると、振動センサ４を確認し、振動を検知するか、または振動量が大であれば、ＣＰＵ（＃１）１４を停止させ、ＣＰＵ（＃２）２４への切替え起動を行う。ＣＰＵ（＃３）３は振動がないか、または振動量が小であれば、一定時間待ち、内部カウンタをカウントアップし、内部カウンタの値が所定値以上でなければ、無線網＃１の待受けに戻る。【選択図】　　　図１
2004048211.tif 000002
【特許請求の範囲】
【請求項１】
各々異なる通信方式を用いる２種類以上の無線網に対応し、前記２種類以上の無線網を切替えて使用する携帯電話装置であって、
自端末の移動の有無を検知する検知手段と、前記２種類以上の無線網の切替え時に前記検知手段の検知結果を基に前記無線網の切替えを制御する制御手段とを有することを特徴とする携帯電話装置。
【請求項２】
前記検知手段は、自端末が振動しているか否かに応じて自端末の移動の有無を検知することを特徴とする請求項１記載の携帯電話装置。
【請求項３】
前記制御手段は、前記検知手段で自端末の振動が検知された時に前記無線網の切替えを行い、前記検知手段で自端末の振動が検知されない時に前記無線網の切替えを抑止することを特徴とする請求項１または請求項２記載の携帯電話装置。
【請求項４】
前記制御手段は、前記検知手段で自端末の振動が検知されない時に前記無線網の切替え処理を予め設定された所定時間停止させた後に前記無線網の待受け状態とすることを特徴とする請求項３記載の携帯電話装置。
【請求項５】
各々異なる通信方式を用いる２種類以上の無線網に対応し、前記２種類以上の無線網を切替えて使用する携帯電話装置の異種網切替え方法であって、
前記２種類以上の無線網の切替え時に自端末の振動を検知する検知手段で当該振動の有無を確認するステップと、前記検知手段の検知結果を基に前記無線網の切替えを制御するステップとを有することを特徴とする異種網切替え方法。
【請求項６】
前記無線網の切替えを制御するステップは、前記検知手段で自端末の振動が検知された時に前記無線網の切替えを行い、前記検知手段で自端末の振動が検知されない時に前記無線網の切替えを抑止することを特徴とする請求項５記載の異種網切替え方法。
【請求項７】
前記無線網の切替えを制御するステップは、前記検知手段で自端末の振動が検知されない時に前記無線網の切替え処理を予め設定された所定時間停止させた後に前記無線網の待受け状態とすることを特徴とする請求項６記載の異種網切替え方法。
【請求項８】
各々異なる通信方式を用いる２種類以上の無線網に対応し、前記２種類以上の無線網を切替えて使用する携帯電話装置の異種網切替え方法のプログラムであって、コンピュータに、前記２種類以上の無線網の切替え時に自端末の振動を検知する検知手段で当該振動の有無を確認する処理と、前記検知手段の検知結果を基に前記無線網の切替えを制御する処理とを実行させるためのプログラム。
【発明の詳細な説明】
【０００１】
【発明の属する技術分野】
本発明は携帯電話装置及びそれに用いる異種網切替え方法並びにそのプログラムに関し、特に各々異なる通信方式を用いる２種類以上の無線網に対応する携帯電話移動機における通信網の切替え方法に関する。
【０００２】
【従来の技術】
従来、この種の携帯電話移動機においては、ＰＤＣ（Ｐｅｒｓｏｎａｌ　Ｄｉｇｉｔａｌ　Ｃｅｌｌｕｌａｒ）、ＰＨＳ（Ｐｅｒｓｏｎａｌ　Ｈａｎｄｙ−ｐｈｏｎｅ　Ｓｙｓｔｅｍ）、ＣＤＭＡ（Ｃｏｄｅ　Ｄｉｖｉｓｉｏｎ　Ｍｕｌｔｉｐｌｅ　Ａｃｃｅｓｓ）、Ｗ−ＣＤＭＡ（Ｗｉｄｅｂａｎｄ−ＣＤＭＡ）等の異なる通信方式を用いる２種類以上の無線網に対応している。上記の携帯電話移動機では、無線網の切替えのトリガが無線網側から報知される情報や圏外によって行われている。
【０００３】
上記の携帯電話移動機の構成例を図３に示す。図３において、携帯電話移動機は無線網＃１制御部１と、無線網＃２制御部２と、ＣＰＵ（中央処理装置）（＃３）３と、メモリ（＃３）５と、切替回路６と、表示部７と、キー部８と、音声ＬＳＩ（大規模集積回路）９と、スピーカ１０とから構成されている。
【０００４】
無線網＃１制御部１はアンテナ１１と、無線部（＃１）１２と、ベースバンド制御部（＃１）１３と、ＣＰＵ（＃１）１４と、メモリ（＃１）１５とからなり、無線網＃２制御部２はアンテナ２１と、無線部（＃２）２２と、ベースバンド制御部（＃２）２３と、ＣＰＵ（＃２）２４と、メモリ（＃２）２５とからなっている。
【０００５】
上記の構成の携帯電話移動機では、図４に示すような動作を行うことで、図示せぬ無線網の切替えが行われている。以下、図示せぬ無線網＃１，＃２の切替え動作について説明する。
【０００６】
携帯電話移動機では、まず無線網＃１の待受けを行っており（図４ステップＳ１１）、無線網＃２からの受信可能情報を受信するか、あるいは無線網＃１の圏外になると（図４ステップＳ１２）、その旨がＣＰＵ（＃１）１４からＣＰＵ（＃３）３に通知される（図４ステップＳ１３）。
【０００７】
携帯電話移動機ではＣＰＵ（＃３）３がＣＰＵ（＃１）１４を停止させ、ＣＰＵ　（＃２）２４への切替え起動を行う（図４ステップＳ１４）。この後に、携帯電話移動機は無線網＃２の待受けを行う（図４ステップＳ１５）。
【０００８】
携帯電話移動機は無線網＃１からの受信可能情報を受信するか、あるいは無線網＃２の圏外になると（図４ステップＳ１６）、その旨がＣＰＵ（＃２）２４からＣＰＵ（＃３）３に通知される（図４ステップＳ１７）。
【０００９】
携帯電話移動機ではＣＰＵ（＃３）３がＣＰＵ（＃２）２４を停止させ、ＣＰＵ　（＃１）１４への切替え起動を行う（図４ステップＳ１８）。この後に、携帯電話移動機はステップＳ１１に戻って無線網＃２の待受けを行う。
【００１０】
【発明が解決しようとする課題】
上述した従来の携帯電話移動機では、無線網の切替えのトリガが無線網側から報知される情報や圏外によって行われているので、その切替えがエリア端や電波状態が不安定な場所で頻繁に起こる可能性があり、消費電流の増大や切替え時のデッドタイム増大といった悪影響が考えられる。
【００１１】
そこで、本発明の目的は上記の問題点を解消し、使用時間の延長及び使い勝手の向上を図ることができる携帯電話装置及びそれに用いる異種網切替え方法並びにそのプログラムを提供することにある。
【００１２】
【課題を解決するための手段】
本発明による携帯電話装置は、各々異なる通信方式を用いる２種類以上の無線網に対応し、前記２種類以上の無線網を切替えて使用する携帯電話装置であって、
自端末の移動の有無を検知する検知手段と、前記２種類以上の無線網の切替え時に前記検知手段の検知結果を基に前記無線網の切替えを制御する制御手段とを備えている。
【００１３】
本発明による異種網切替え方法は、各々異なる通信方式を用いる２種類以上の無線網に対応し、前記２種類以上の無線網を切替えて使用する携帯電話装置の異種網切替え方法であって、
前記２種類以上の無線網の切替え時に自端末の振動を検知する検知手段で当該振動の有無を確認するステップと、前記検知手段の検知結果を基に前記無線網の切替えを制御するステップとを備えている。
【００１４】
本発明による異種網切替え方法のプログラムは、各々異なる通信方式を用いる２種類以上の無線網に対応し、前記２種類以上の無線網を切替えて使用する携帯電話装置の異種網切替え方法のプログラムであって、コンピュータに、前記２種類以上の無線網の切替え時に自端末の振動を検知する検知手段で当該振動の有無を確認する処理と、前記検知手段の検知結果を基に前記無線網の切替えを制御する処理とを実行させている。
【００１５】
すなわち、本発明の携帯電話装置は、２種類以上の異種携帯電話ネットワークに対応し、個々を自動的に切替える機能を持つ携帯電話装置において、その自動切換えのトリガを振動検出による移動中か静止中かの判断に則り、静止中の場合、消費電力低減のために網切替えを抑制し、移動中の場合、積極的に切替えを行うようにしている。ここで、「静止中」とは端末が充電中や端末を収納する物が静止状態にあることを指している。
【００１６】
従来の網の切替え方法では、網の切替えが電波によって報知される情報や、電界強度等の圏内外情報によって行われているが、この方法ではエリア端や電波状態が不安定な状況において、移動機内での網制御部の切替えが頻繁に行われ、切替えに要する時間が問題になったり、消費電流が増大する等の悪影響がある。
【００１７】
これに対し、本発明の携帯電話装置では、移動機が移動中かどうかを網の切替えの判断材料に加えることによつて、移動中であれば最適な網になるように網切替えを積極的に行い、静止中であれば網切替えを抑制することで、網切替えの際に生じる消費電流を抑え、あるいは切替え時のデッドタイムを少なくすることが可能となる。これによって、本発明の携帯電話装置では、使用時間の延長及び使い勝手の向上を図ることが可能となる。
【００１８】
【発明の実施の形態】
次に、本発明の実施例について図面を参照して説明する。図１は本発明の一実施例による携帯電話装置の詳細な構成を示すブロック図である。図１において、本発明の一実施例による携帯電話装置は無線網＃１制御部１と、無線網＃２制御部２と、ＣＰＵ（＃３）３と、振動センサ４と、メモリ（＃３）５と、切替回路６と、表示部７と、キー部８と、音声ＬＳＩ（大規模集積回路）９と、スピーカ１０とから構成されている。
【００１９】
無線網＃１制御部１はアンテナ１１と、無線部（＃１）１２と、ベースバンド制御部（＃１）１３と、ＣＰＵ（＃１）１４と、メモリ（＃１）１５とを含んで構成され、無線網＃２制御部２はアンテナ２１と、無線部（＃２）２２と、ベースバンド制御部（＃２）２３と、ＣＰＵ（＃２）２４と、メモリ（＃２）２５とを含んで構成されている。
【００２０】
無線網＃１制御部１は図示せぬ無線網＃１の制御を行い、無線網＃２制御部２は図示せぬ無線網＃２の制御を行う。中央処理制御部３は無線網＃１，＃２相互の切替え（切替回路６による無線網＃１制御部１及び無線網＃２制御部２の切替え）を集中して制御する。振動センサ４は自装置が移動中であるかどうかを判別するための振動を検出する。
【００２１】
ここで、無線網＃１，＃２はＰＤＣ（Ｐｅｒｓｏｎａｌ　Ｄｉｇｉｔａｌ　Ｃｅｌｌｕｌａｒ）、ＰＨＳ（Ｐｅｒｓｏｎａｌ　Ｈａｎｄｙ−ｐｈｏｎｅ　Ｓｙｓｔｅｍ）、ＣＤＭＡ（Ｃｏｄｅ　Ｄｉｖｉｓｉｏｎ　Ｍｕｌｔｉｐｌｅ　Ａｃｃｅｓｓ）、Ｗ−ＣＤＭＡ（Ｗｉｄｅｂａｎｄ−ＣＤＭＡ）等の異なる通信方式を用いる無線網である。例えば、無線網＃１の通信方式を「ＰＤＣ」とし、無線網＃２の通信方式を「ＰＨＳ」または「Ｗ−ＣＤＭＡ」とするような場合が考えられる。
【００２２】
２種類以上の無線網に対応する従来の携帯電話移動機では、それぞれの網から報知される情報によって、現在使用中の網から他の網に接続可能か、もしくは現在使用中の網の圏外の情報をトリガとし、他の網への接続に切替えている。
【００２３】
これに対し、本実施例では、他の網への切替えのトリガをＣＰＵ（＃３）３が認知した場合、振動センサ４で振動が検出されていれば、自端末が移動中であると判断し、網が切替わった可能性が高く、網の切替えを即時に行う等の積極的な切替えを行う。
【００２４】
ＣＰＵ（＃３）３は振動センサ４で振動が検出されていなければ、移動していないと判断し、外部要因にて網の圏外またはエリア端によって別情報が報知された可能性が高いため、網の切替えを行わず、現在使用中の網への接続を継続する。
【００２５】
図３は本発明の一実施例による携帯電話装置の網の切替え処理を示すフローチャートである。これら図２及び図３を参照して本発明の一実施例による携帯電話装置での網の切替え処理について説明する。
【００２６】
尚、図３に示す切替え処理は無線網＃１から無線網＃２への切替え動作を示しており、無線網＃２から無線網＃１への切替えも図３に示す切替え処理と同様にして行われる。また、図３に示す切替え処理はＣＰＵ（＃３）３がメモリ（＃３）５に格納されてプログラムを実行することで実現される。
【００２７】
本発明の一実施例による携帯電話装置では、まず内部カウンタ（図示せず）の初期設定（＝０）とし（図３ステップＳ１）、無線網＃１の待受けを行っており（図３ステップＳ２）、無線網＃２からの受信可能情報を受信するか、あるいは無線網＃１の圏外になると（図３ステップＳ３）、その旨がＣＰＵ（＃１）１４からＣＰＵ（＃３）３に通知される（図３ステップＳ４）。
【００２８】
ＣＰＵ（＃３）３はＣＰＵ（＃１）１４からの通知を受けると、振動センサ４を確認し（図３ステップＳ５）、振動を検知するか、または振動量が大であれば、移動中である確率が大であるため、従来と同様に、ＣＰＵ（＃１）１４を停止させ、ＣＰＵ（＃２）２４への切替え起動を行う（図３ステップＳ９）。この後に、携帯電話装置は無線網＃２の待受けを行う（図３ステップＳ１０）。
【００２９】
一方、ＣＰＵ（＃３）３は振動がないか、または振動量が小であれば、静止中である確率が大であるため、一定時間（例えば、Ａ秒間）待ち（切替え処理そのものを停止させ）（図３ステップＳ６）、内部カウンタをカウントアップ（＋１）し（図３ステップＳ７）、内部カウンタの値が所定値Ｂ以上でなければ（図３ステップＳ８）、ステップＳ２に戻って無線網＃１の待受けを行う。ここで、「静止中」とは端末が充電中や端末を収納する物が静止状態にあることを指している。
【００３０】
ＣＰＵ（＃３）３は内部カウンタの値が所定値Ｂ以上になると（図３ステップＳ８）、従来と同様に、ＣＰＵ（＃１）１４を停止させ、ＣＰＵ（＃２）２４への切替え起動を行う（図３ステップＳ９）。この後に、携帯電話装置は無線網＃２の待受けを行う（図３ステップＳ１０）。
【００３１】
すなわち、振動センサ４で振動が検知されなければ、自装置が移動しておらず、基地局（図示せず）の切替えが生じたわけではないので、無線網＃１の待受けに戻り、無線網＃２からの受信可能情報を受信するか、あるいは無線網＃１の圏外になるのを待つ。
【００３２】
また、上記の一定時間待ったり、内部カウンタの値のチェックは振動センサ４で振動が検知されない時に、同じ処理を短時間で繰り返すことで消費電力がアップするのを抑制したり、ほとんど信号を検知することなく基地局が切替わる場合に網の切り替えを本当に行う必要があるので、リトライアウトを行うために設けている。
【００３３】
このように、本実施例では、自装置の振動を検出し、移動機が移動中かどうかを判断材料に加えることによって、移動中であれば最適な網になるように網の切替えを積極的に行い、静止中であれば網の切替えを抑制することで、網の切替えの際に生じる消費電流を抑え、または網の切替え時のデッドタイムを少なくすることができるので、移動機の使用時間の延長及び使い勝手の向上を図ることができる。
【００３４】
これによって、従来の切替え方法における、網の切替えが電波によって報知される情報や電界強度等の圏内外情報によって切替えを行うことで、エリア端や電波状態が不安定な状況で、移動機内での網制御部の切替えが頻繁に行われ、切替えに要する時間が問題になったり、消費電流が増大する等の悪影響が生ずるのを抑止することができる。
【００３５】
尚、本実施例では、振動検出の判断基準として、振動のある・なしだけでなく、振動していた時間をもパラメータにすることによって、多く移動していた場合とわずかな移動であった場合とを判別し、少量の移動であった場合に網の切替えの積極度を抑えることで、より実使用に近いものとして実施することができる。
【００３６】
【発明の効果】
以上説明したように本発明は、各々異なる通信方式を用いる２種類以上の無線網に対応し、２種類以上の無線網を切替えて使用する携帯電話装置において、２種類以上の無線網の切替え時に自端末の振動を検知する検知手段で当該振動の有無を確認し、検知手段の検知結果を基に無線網の切替えを制御することによって、使用時間の延長及び使い勝手の向上を図ることができるという効果が得られる。
【図面の簡単な説明】
【図１】本発明の一実施例による携帯電話装置の詳細な構成を示すブロック図である。
【図２】本発明の一実施例による携帯電話装置の網の切替え処理を示すフローチャートである。
【図３】従来例による携帯電話装置の詳細な構成を示すブロック図である。
【図４】従来例による携帯電話装置の網の切替え処理を示すフローチャートである。
【符号の説明】
１　無線網＃１制御部
２　無線網＃２制御部
３　ＣＰＵ（＃３）
４　振動センサ
５　メモリ（＃３）
６　切替回路
７　表示部
８　キー部
９　音声ＬＳＩ
１０　スピーカ
１１，２１　アンテナ
１２　無線部（＃１）
１３　ベースバンド制御部（＃１）
１４　ＣＰＵ（＃１）
１５　メモリ（＃１）
２２　無線部（＃２）
２３　ベースバンド制御部（＃２）
２４　ＣＰＵ（＃２）
２５　メモリ（＃２）
【図１】
2004048211.tif 000003
【図２】
2004048211.tif 000004
【図３】
2004048211.tif 000005
【図４】
2004048211.tif 000006